(57)【要約】【課題】ワイヤハーネスを構造物から取り外す場合に、専用の治具を使用する必要がなく、しかも、ワイヤハーネスの布設経路をずらすような面倒な手間を加える必要もなく、ワイヤハーネスの分別回収を容易に、且つ効率化することができるワイヤハーネス用クリップを提供する。【解決手段】ワイヤハーネス用クリップ３１は、ワイヤハーネスを結束する結束バンド３３と構造物Ｐに係合するバンド連結部材３５とが別体品で、これらの結束バンド３３とバンド連結部材３５とを結合する結合機構３６は、構造物Ｐの取付孔４３に対してバンド連結部材３５を相対回転させることで相互の結合を解除する構成としたことで、ワイヤハーネスを構造物Ｐから簡単に分離・回収することができるようになる。【選択図】図１
2009177925.tif 000002
【特許請求の範囲】
【請求項１】
ワイヤハーネスを結束する結束バンドと、該結束バンドを構造物に連結するバンド連結部材とを備え、前記ワイヤハーネスを前記構造物に固定するワイヤハーネス用クリップであって、
前記結束バンドと前記バンド連結部材とが別体品であり、前記結束バンドと前記バンド連結部材とには、これらの内の一方に一体形成された鍵片を他方に形成された鍵穴に係合させることにより相互を結合状態にする結合機構が設けられると共に、
前記バンド連結部材には、前記構造物に形成された取付孔に回動可能に係合する係合部と、該バンド連結部材を前記構造物の取付孔に対して回転させてバンド連結部材の取り付け角度位置を連結ロック位置又は連結解除位置に選択切り替えする回転操作部と、が設けられ、
前記結合機構は、前記バンド連結部材の取り付け角度位置が前記連結解除位置にあるときには前記鍵片と前記鍵穴の向きが整合して前記結束バンドと前記バンド連結部材との結合が解除された状態になり、前記バンド連結部材の取り付け角度位置が前記連結ロック位置にあるときには前記鍵片と前記鍵穴の向きが不整合になり前記結束バンドと前記バンド連結部材との結合がロックされた状態になることを特徴とするワイヤハーネス用クリップ。
【請求項２】
前記回転操作部には、前記結束バンドによって保持された前記ワイヤハーネスの下を横断して前記ワイヤハーネスの外側に端部が露出する腕部が備えられていることを特徴とする請求項１に記載のワイヤハーネス用クリップ。
【請求項３】
前記腕部の端部には、操作部が立設されていることを特徴とする請求項２に記載のワイヤハーネス用クリップ。
【発明の詳細な説明】
【技術分野】
【０００１】
本発明は、ワイヤハーネスを結束する結束バンドと、該結束バンドを構造物に連結するバンド連結部材とを備えて、前記ワイヤハーネスを前記構造物に固定するワイヤハーネス用クリップに関し、特に、環境対応策として、構造物上のワイヤハーネスの分別回収を容易にするための改良に関する。
【背景技術】
【０００２】
図４及び図５は、車両のボディパネル等の構造物Ｐ上にワイヤハーネスＷを固定するワイヤハーネス用クリップ１の従来例を示したものである。
【０００３】
ここに示したワイヤハーネス用クリップ１は、下記特許文献１に開示されたクリップと同様の構成のもので、ワイヤハーネスＷを結束する結束バンド３と、該結束バンド３を構造物Ｐに連結するバンド連結部材５とを、樹脂の射出成形により一体成形したものである。
【０００４】
結束バンド３の具体的な構成は、公知の構成でよく、一般には、ワイヤハーネスＷの外周に巻き付けるバンド本体の一端側を前記バンド本体の他端側に装備されたバンド挿通部に挿通させると、前記バンド挿通部の内周に設けられている係止突起が前記バンド本体の表面に形成されている係止溝に係合して、バンド本体がバンド挿通部から抜け止めされる構成のものが普及している。
【０００５】
バンド連結部材５は、構造物Ｐに貫通形成された取付孔７に挿入すると、取付孔７を通過した時に弾性復元力で拡径方向に広がる弾性変形部１１と、構造物Ｐの表面側から取付孔７の周囲に当接する座板部１２とを具備している。
【０００６】
弾性変形部１１には、拡径した時に前記構造物Ｐの裏面側から取付孔７の縁に係合する段差１１ａが装備されている。従って、バンド連結部材５は、図４にも示したように、取付孔７に挿通された弾性変形部１１の段差１１ａと座板部１２とで構造物Ｐの取付孔７の周縁部を挾持することで、構造物Ｐとの連結を果たす。
【０００７】
ところで、近年では、廃棄物中の資源のリサイクル化等により環境への負荷を軽減する環境対応策の一つとして、使用済み製品の廃棄時に各種の部品の分別回収を容易にする工夫等が要求されている。
【０００８】
例えば、上記のようなワイヤハーネス用クリップ１では、構造物ＰからのワイヤハーネスＷの取り外しを容易にすることで、ワイヤハーネスＷの分別回収が容易になり、また、ワイヤハーネスＷの分別回収作業を効率化することができる。
【０００９】
そこで、上記のワイヤハーネス用クリップ１の場合、構造物ＰからのワイヤハーネスＷの取り外しを容易にするための工夫として、段差１１ａの内周部に構造物Ｐの表面側に突出する係止突片１１ｂを一体装備すると共に、係止突片１１ｂに対向する座板部１２の外周部には開口１４を設けている。
【００１０】
このような構成では、図５に示すように、ワイヤハーネスＷの一端側を矢印Ｍで示すように曲げて座板部１２の開口１４を露出させ、この開口１４から差し込んだ棒状の治具Ｔの先端を係止突片１１ｂに当接させて、弾性変形部１１を縮径方向に弾性変形させると、弾性変形部１１と取付孔７の周縁部との係合が外れる。この状態で、ワイヤハーネス用クリップ１を引っ張って、弾性変形部１１を取付孔７から抜けば、ワイヤハーネスＷが構造物Ｐから取り外された状態になる。
【００１１】
【特許文献１】特開平１１−２６６５１８号公報
【発明の開示】
【発明が解決しようとする課題】
【００１２】
ところが、前述したワイヤハーネス用クリップ１の場合、ワイヤハーネスＷの取り外しには専用の棒状の治具Ｔが必要になるという問題があった。
【００１３】
また、バンド連結部材５の弾性変形部１１と取付孔７との係合を外すには、ワイヤハーネスＷを曲げる等してワイヤハーネスの布設経路をずらして、専用の棒状の治具Ｔを差し込むための開口１４を露出させる必要があった。
【００１４】
しかし、通常、多数本の電線を束ねたワイヤハーネスＷはかなりの曲げ剛性があって、簡単には曲げることができない場合が少なくなく、また、構造物Ｐの形状やワイヤハーネスＷの布設位置によってはワイヤハーネスＷを曲げる作業が更に困難になる場合もあり、その結果、開口１４を露出させることができないために、ワイヤハーネスＷの取り外しができなくなる場合もあった。
【００１５】
本発明の目的は、上記課題を解消することに係り、ワイヤハーネスを構造物から取り外す場合に、専用の治具を使用する必要がなく、しかも、ワイヤハーネスの布設経路をずらすような面倒な手間を加える必要もなく、簡単にワイヤハーネスの取り外しを完了させることができ、ワイヤハーネスが装備された構造物を廃棄する際のワイヤハーネスの分別回収を容易に、且つ効率化することができる環境性能に優れたワイヤハーネス用クリップを提供することにある。
【課題を解決するための手段】
【００１６】
本発明の上記目的は、下記構成により達成される。
（１）  ワイヤハーネスを結束する結束バンドと、該結束バンドを構造物に連結するバンド連結部材とを備え、前記ワイヤハーネスを前記構造物に固定するワイヤハーネス用クリップであって、
前記結束バンドと前記バンド連結部材とが別体品であり、前記結束バンドと前記バンド連結部材とには、これらの内の一方に一体形成された鍵片を他方に形成された鍵穴に係合させることにより相互を結合状態にする結合機構が設けられると共に、
前記バンド連結部材には、前記構造物に形成された取付孔に回動可能に係合する係合部と、該バンド連結部材を前記構造物の取付孔に対して回転させてバンド連結部材の取り付け角度位置を連結ロック位置又は連結解除位置に選択切り替えする回転操作部と、が設けられ、
前記結合機構は、前記バンド連結部材の取り付け角度位置が前記連結解除位置にあるときには前記鍵片と前記鍵穴の向きが整合して前記結束バンドと前記バンド連結部材との結合が解除された状態になり、前記バンド連結部材の取り付け角度位置が前記連結ロック位置にあるときには前記鍵片と前記鍵穴の向きが不整合になり前記結束バンドと前記バンド連結部材との結合がロックされた状態になることを特徴とするワイヤハーネス用クリップ。
【００１７】
（２）  前記回転操作部には、前記結束バンドによって保持された前記ワイヤハーネスの下を横断して前記ワイヤハーネスの外側に端部が露出する腕部が備えられていることを特徴とする前記（１）に記載のワイヤハーネス用クリップ。
【００１８】
（３）  前記腕部の端部には、操作部が立設されていることを特徴とする前記（２）に記載のワイヤハーネス用クリップ。
【００１９】
前記（１）の構成によれば、結合機構におけるバンド連結部材の取り付け角度位置の調整により結束バンドとバンド連結部材との結合が解除又はロックされるので、簡単にワイヤハーネスを取り外すことができる。
【００２０】
前記（２）の構成によれば、腕部を操作することにより容易に回転操作部を回転させることができ、結合バンドとバンド連結部材との結合を容易に解除してワイヤハーネスを取り外すことができる。
【００２１】
前記（３）の構成によれば、腕部に設けられた操作部を操作することにより容易に回転操作部を回転させることができ、結合バンドとバンド連結部材との結合を容易に解除してワイヤハーネスを取り外すことができる。
【発明の効果】
【００２２】
本発明によるワイヤハーネス用クリップによれば、ワイヤハーネスを結束している結束バンドと、該結束バンドを構造物に固定しているバンド連結部材とは互いに分離可能な別体品で構成されていて、バンド連結部材に装備されている回転操作部を操作することで結束バンドに対してバンド連結部材を相対回転させて、バンド連結部材の取り付け角度位置を連結解除位置に切り替えるだけで、構造物に係合しているバンド連結部材から結束バンドが外れる。
【００２３】
即ち、本発明に係るワイヤハーネス用クリップでは、構造物上に布設しているワイヤハーネスを構造物から取り外す場合に、専用の治具を使用する必要がなく、しかも、ワイヤハーネスの布設経路をずらすような面倒な手間を加える必要もなく、簡単にワイヤハーネスの取り外しを完了させることができる。
【００２４】
従って、ワイヤハーネスが装備された構造物を廃棄する際のワイヤハーネスの分別回収を容易に、且つ効率化することができ、廃棄物中の資源のリサイクル化等の環境対応に適したワイヤハーネスの分離・分別回収を容易にすることができる。
【発明を実施するための最良の形態】
【００２５】
以下、本発明に係るワイヤハーネス用クリップの好適な実施形態について、図面を参照して詳細に説明する。
【００２６】
図１は本発明に係るワイヤハーネス用クリップの一実施形態の分解斜視図、図２（ａ）は図１に示したワイヤハーネス用クリップの回転操作部が連結ロック位置に設定されていてワイヤハーネスが固定されている状態の斜視図、図２（ｂ）は図２（ａ）のＡ矢視図、図３（ａ）は図１に示したワイヤハーネス用クリップの回転操作部が連結解除位置に設定されていてワイヤハーネスが取り外された状態の斜視図、図３（ｂ）は図３（ａ）のＡ矢視図である。
【００２７】
この一実施形態のワイヤハーネス用クリップ３１は、ワイヤハーネスＷを結束する結束バンド３３と、該結束バンド３３を車両のボディパネル等の構造物Ｐに連結するバンド連結部材３５とを備えており、ワイヤハーネスＷを構造物Ｐに固定するものである。
【００２８】
結束バンド３３は、図１に示すように、ワイヤハーネスＷの外周に巻き付けるバンド本体３３ａの一端側をバンド本体３３ａの他端側に装備されたバンド挿通部３３ｂに挿通させると、バンド挿通部３３ｂの内部に設けられている不図示の係止突起がバンド本体３３ａの表面に形成されている不図示の係止溝に係合して、バンド本体３３ａがバンド挿通部３３ｂから抜け止めされる構成になっている。
【００２９】
一方、バンド連結部材３５は、構造物Ｐに形成された略円形の取付孔４３（図１参照）に回動可能に係合する係合部４５（弾性係合する弾性変形部）と、当該係合部４５を取付孔４３に対して回転させてバンド連結部材３５の取り付け角度位置を後述の連結ロック位置又は連結解除位置に選択切り替えする回転操作部４７とを、備えている。
【００３０】
係合部４５は、詳細な構造は図示していないが、構造物Ｐに形成された略円形の取付孔４３に挿入すると、取付孔４３を通過した時に弾性復元力で拡径方向に広がる角錐形の弾性変形部４５ａと前記構造物Ｐの表面側から取付孔４３の周囲に当接する押さえ板部４５ｂとで取付孔４３の周縁部を挾持することで、構造物Ｐとの連結を果たす。
【００３１】
回転操作部４７は、図１に示すように、係合部４５の上端面から直径方向に延出した腕部４８と、この腕部４８の両先端に立設された操作部４９とで構成されている。
【００３２】
腕部４８は、図２及び図３に示すように、結束バンド３３によって保持されたワイヤハーネスＷの下を横断してワイヤハーネスＷの外側に先端が露出している。また、腕部４８の先端に立設された操作部４９は、布設されたワイヤハーネスＷの両側方に垂直に立って存在して、腕部４８の回動操作を容易にしている。
【００３３】
本実施形態のワイヤハーネス用クリップ３１の場合、以上に説明した結束バンド３３とバンド連結部材３５は、図１にも示しているように別体品であり、それぞれが個別に樹脂の射出成形により形成されている。
【００３４】
また、これらの結束バンド３３及びバンド連結部材３５には、相互を着脱可能に結合する結合機構３６が設けられている。
【００３５】
この結合機構３６は、図１に示すように、バンド連結部材３５の腕部４８の中心部の上面に一体形成された鍵片３７と、結束バンド３３のバンド挿通部３３ｂの外端面（図１では上端面）に一体形成された鍵穴３９とで構成されている。鍵片３７は、図２（ｂ）に示すように長円形で、腕部４８の表面から突出した不図示の支持軸の先端に固定されている。鍵穴３９は、鍵片３７と同様の長円形の穴で、その奥には、鍵片３７が旋回可能な空間が確保されていて、鍵片３７を鍵穴３９に挿通させた後、前述した回転操作部４７の操作により結束バンド３３に対してバンド連結部材３５を相対回転させると、鍵片３７が鍵穴３９の奥の空間に係合した状態になり、バンド連結部材３５の上端に結束バンド３３が結合された状態を得る。
【００３６】
図１に示すように、バンド挿通部３３ｂに形成した鍵穴３９は、結束するワイヤハーネスＷの軸線に直交する方向に長軸を向けた長円形になっている。
【００３７】
鍵穴３９に挿通した鍵片３７の長軸方向は、回転操作部４７によってバンド連結部材３５を回転させることで、変更することができる。
【００３８】
そして、鍵穴３９に挿入されている鍵片３７の長軸方向を鍵穴３９の長軸方向から９０度ずらすと、図２に示した状態になる。このように鍵片３７と鍵穴３９の向きが不整合になったときのバンド連結部材３５の取り付け角度位置が、連結ロック位置であり、鍵片３７が鍵穴３９に係合することにより結束バンド３３がバンド連結部材３５に結合された状態になっている。
【００３９】
これに対して、図２の状態からバンド連結部材３５を時計方向に約９０度回転させると、図３に示す状態になる。このときのバンド連結部材３５の取り付け角度位置が、連結解除位置である。このとき、鍵片３７の長軸方向が鍵穴３９の長軸方向に整合しているため、鍵片３７は自由に鍵穴３９に挿抜でき、結束バンド３３とバンド連結部材３５との結合が解除された状態になっている。
【００４０】
従って、図３（ａ）に示すように、構造物Ｐに連結されているバンド連結部材３５から結束バンド３３を離脱させて、構造物Ｐ上からワイヤハーネスＷを分離回収することが可能になる。
【００４１】
以上に説明したワイヤハーネス用クリップ３１によれば、ワイヤハーネスＷを結束している結束バンド３３と、該結束バンド３３を構造物Ｐに固定しているバンド連結部材３５とは互いに分離可能な別体品で構成されていて、バンド連結部材３５に装備されている回転操作部４７を操作することで結束バンド３３に対してバンド連結部材３５を相対回転させて、図３に示すようにバンド連結部材３５の取り付け角度位置を連結解除位置に切り替えるだけで、構造物Ｐに係合しているバンド連結部材３５から結束バンド３３が外れる。
【００４２】
即ち、本発明に係るワイヤハーネス用クリップ３１では、構造物Ｐ上に布設しているワイヤハーネスＷを構造物Ｐから取り外す場合に、専用の治具を使用する必要がなく、簡単にワイヤハーネスＷの取り外しを完了させることができる。
【００４３】
従って、ワイヤハーネスＷが装備された構造物Ｐを廃棄する際のワイヤハーネスＷの分別回収を容易に、且つ効率化することができ、廃棄物中の資源のリサイクル化等の環境対応に適したワイヤハーネスＷの分離・分別回収を容易にすることができる。
【００４４】
また、本実施形態のワイヤハーネス用クリップ３１は、図２及び図３に示したように、回転操作部４７が、結束バンド３３によって保持されたワイヤハーネスＷの下を横断してワイヤハーネスＷの外側に端部が露出する腕部４８を備えているため、ワイヤハーネスＷの布設経路をずらすような面倒な手間を加えなくても、いつでも、回転操作部４７を操作することができる。
【００４５】
即ち、本発明に係るワイヤハーネス用クリップ３１では、構造物Ｐ上に布設しているワイヤハーネスＷを構造物Ｐから取り外す場合に、ワイヤハーネスＷの布設経路をずらすような面倒な手間を加える必要もなくなるため、その分、更に簡単にワイヤハーネスＷの取り外しを完了させることが可能になり、ワイヤハーネスＷの分離・分別回収を目的とした環境対応性を更に高めることができる。
【００４６】
なお、本実施形態の場合、結束バンド３３とバンド連結部材３５とを着脱可能に結合する結合機構３６は、バンド連結部材３５に装備した鍵片３７と結束バンド３３に装備した鍵穴３９とで構成した。
【００４７】
しかし、本発明に係るワイヤハーネス用クリップにおいて、結合機構を構成する鍵片と鍵穴の装備位置は、上記実施形態に限らない。例えば、上記実施形態とは逆に、鍵片を結束バンド側に装備し、鍵穴をバンド連結部材側に装備するようにしても良い。
【００４８】
また、鍵片や鍵穴の具体的な形状も上記実施形態に示した長円形に限定するものではなく、より嵌合させ易い形状等に設計変更可能である。
【００４９】
なお、本発明に係るワイヤハーネス用クリップは、実施形態でも説明したように、ワイヤハーネスの固定を基本用途としているが、結束バンドによって結束できるものであれば、ワイヤハーネス以外の部材の固定等に利用することも可能であることは、言うまでもない。
【図面の簡単な説明】
【００５０】
【図１】本発明に係るワイヤハーネス用クリップの一実施形態の分解斜視図である。
【図２】（ａ）は図１に示したワイヤハーネス用クリップの回転操作部が連結ロック位置に設定されていてワイヤハーネスが固定されている状態の斜視図、（ｂ）は（ａ）のＡ矢視図である。
【図３】（ａ）は図１に示したワイヤハーネス用クリップの回転操作部が連結解除位置に設定されていてワイヤハーネスが取り外された状態の斜視図、（ｂ）は（ａ）のＡ矢視図である。
【図４】従来のワイヤハーネス用クリップがワイヤハーネスを構造物に固定している状態の説明図である。
【図５】図４に示したワイヤハーネス用クリップを構造物から取り外す操作の説明図である。
【符号の説明】
【００５１】
３１  ワイヤハーネス用クリップ
３３  結束バンド
３３ａ  バンド本体
３３ｂ  バンド挿通部
３５  バンド連結部材
３６  結合機構
３７  鍵片
３９  鍵穴
４３  取付孔
４５  係合部
４５ａ  弾性変形部
４５ｂ  押さえ板部
４７  回転操作部
４８  腕部
４９  操作部
Ｐ  構造物
Ｗ  ワイヤハーネス
【図１】
2009177925.tif 000003
【図２】
2009177925.tif 000004
【図３】
2009177925.tif 000005
【図４】
2009177925.tif 000006
【図５】
2009177925.tif 000007